(57)【要約】【課題】映像表示方法及びこれを遂行するための電気泳表示装置が開示される。【解決手段】表示品質を向上させるための映像表示方法及びこれを遂行するための電気泳動表示装置において、複数の駆動区間に分け、電気泳動粒子を含む電気泳動表示パネルにＫ番目の映像を表示する。引き続き、映像転換のためのインタラプト信号が前記駆動区間の内、不特定の一つの区間において発生するとインタラプト信号発生の前、電気泳動表示パネルに出力されたＫ番目の映像に対応して充電された粒子の電荷を補償、又、Ｋ＋１番目の映像を表示する。よって、映像転換の時、Ｋ番目の映像に対する電荷補償を容易にし、Ｋ＋１番目の映像の品質を向上させることができる。【選択図】図１２
2008268953.tif 000002
【特許請求の範囲】
【請求項１】
電気泳動粒子を含む電気泳動表示パネルに、Ｋ番目の映像を表示する段階（ここで、Ｋは自然数）と、
映像転換のためのインタラプト信号が複数の駆動区間の内、いずれか１つの区間において発生することにより、前記インタラプト信号発生の前、前記電気泳動表示パネルに表示された前記Ｋ番目の映像に対応して充電された前記電気泳動粒子の電荷を補償し、Ｋ＋１番目の映像を表示する段階と、を含む電気泳動表示装置の映像表示方法。
【請求項２】
前記Ｋ番目の映像を表示する段階は、
第１ブラック区間の間、前記電気泳動表示パネルに第１極性電圧を利用してブラック映像を表示する段階と、
第１ホワイト区間の間、前記電気泳動表示パネルに第２極性電圧を利用してホワイト映像を表示する段階と、
第１インバース区間の間、前記電気泳動表示パネルに前記Ｋ番目の映像の反転データに対応する前記第２極性電圧を出力する段階と、
第１表示区間の間、前記電気泳動表示パネルに前記Ｋ番目の映像データに対応する前記第１極性電圧を出力し、前記Ｋ番目の映像を表示する段階と、
第１維持区間の間、前記電気泳動表示パネルに共通電圧を出力し、前記電気泳動表示パネルに表示された前記Ｋ番目の映像を維持する段階と、を含む請求項１記載の電気泳動表示装置の映像表示方法。
【請求項３】
前記第１ブラック区間に前記インタラプト信号が発生する場合、前記Ｋ＋１番目の映像を表示する段階は、
前記第１ブラック区間の間、前記インタラプト信号が発生した後に残った第１ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項４】
前記第１ホワイト区間に前記インタラプト信号が発生する場合、前記Ｋ＋１番目の映像を表示する段階は、
前記第１ホワイト区間の間、前記インタラプト信号が発生した後に残った第１ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項５】
前記第１インバース区間に前記インタラプト信号が発生する場合、前記Ｋ＋１番目の映像を表示する段階は、
前記インタラプト信号発生の後の第２ブラック区間の間、前記電気泳動表示パネルに前記第１極性電圧を出力し、ブラック映像を表示する段階と、
第２ホワイト区間の間、前記電気泳動表示パネルに前記第２極性電圧を出力し、ホワイト映像を表示する段階と、
インバース補償区間の間、前記第１極性電圧を前記電気泳動表示パネルに出力し、前記インタラプト信号発生の前、前記粒子に充電された電荷を補償する段階と、
第２インバース区間の間、前記電気泳動表示パネルに前記Ｋ＋１番目の映像の反転データに対応する前記第２極性電圧を出力する段階と、
第２表示区間の間、前記電気泳動表示パネルに前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項６】
前記インタラプト信号発生の前の前記第１インバース区間と前記インバース補償区間は、同一であることを特徴とする請求項５記載の電気泳動表示装置の映像表示方法。
【請求項７】
前記第１インバース区間に前記インタラプト信号が発生する場合、前記Ｋ＋１番目の映像を表示する段階は、
前記インタラプト信号が発生した後の第２ブラック区間の間、前記電気泳動表示パネルに前記第１極性電圧を出力し、前記ブラック映像を表示する段階と、
インバース補償区間の間、前記第１極性電圧を前記電気泳動表示パネルに出力し、前記インタラプト信号発生の前、前記粒子に充電された電荷を補償する段階と、
第２ホワイト区間の間、前記第２極性電圧を前記電気泳動表示パネルに出力し、前記ホワイト映像を表示する段階と、
第２インバース区間の間、前記電気泳動表示パネルに前記Ｋ＋１番目の映像の反転データに対応する前記第２極性電圧を出力する段階と、
第２表示区間の間、前記電気泳動表示パネルに前記Ｋ＋１番目の映像のデータに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項８】
前記インタラプト信号発生前の前記第１インバース区間と前記インバース補償区間は同一であることを特徴とする請求項７記載の電気泳動表示装置の映像表示方法。
【請求項９】
前記第１表示区間に前記インタラプト信号が発生する場合、前記Ｋ＋１番目の映像を表示する段階は、
前記インタラプト信号発生の後、第２ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、ホワイト映像を表示する段階と、
表示補償区間の間、前記第１極性電圧を前記電気泳動表示パネルに出力し、前記インタラプト信号発生の前、前記粒子に充電された電荷を補償する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに、前記共通電圧を出力し、前記電気泳動表示パネルに表示された前記Ｋ＋１番目の映像を維持する段階と、を含む請求項２記載の電気泳動表示装置の映像表示方法。
【請求項１０】
前記インタラプト信号発生前の前記第１表示区間と前記表示補償区間の合計は、前記第１表示区間と同一であることを特徴とする請求項９記載の電気泳動表示装置の映像表示方法。
【請求項１１】
前記第１表示区間に前記インタラプト信号が発生する場合、前記Ｋ＋１番目の映像を表示する段階は、
前記インタラプト信号発生の直後、第２ブラック区間の間、前記電気泳動表示パネルに前記第１極性電圧を出力し、ブラック映像を表示する段階と、
表示補償区間の間、前記第１極性電圧を前記電気泳動表示パネルに出力し、前記インタラプト信号発生の前、前記粒子に充電された電荷を補償する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項１２】
前記インタラプト信号発生の前の前記第１表示区間と前記表示補償区間の合計は、前記第１表示区間と同一であることを特徴とする請求項１１記載の電気泳動表示装置の映像表示方法。
【請求項１３】
前記第１維持区間に前記インタラプト信号が発生する場合、前記Ｋ＋１番目の映像を表示する段階は、
前記インタラプト信号発生の後、第２ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項１４】
前記Ｋ番目の映像を表示する段階は、
第１ホワイト区間の間、前記電気泳動表示パネルに、共通電圧に対比する第１極性電圧と反転された第２極性電圧を出力し、ホワイト映像を表示する段階と、
第１ブラック区間の間、前記電気泳動表示パネルに前記第１極性電圧を出力し、ブラック映像を表示する段階と、
第１インバース区間の間、前記電気泳動表示パネルに、前記Ｋ番目の映像の反転データに対応する前記第１極性電圧を出力する段階と、
第１表示区間の間、前記電気泳動表示パネルに、前記Ｋ番目の映像データに対応する前記第２極性電圧を出力し、前記Ｋ番目の映像を表示する段階と、
第１維持区間の間、前記電気泳動表示パネルに前記共通電圧を出力し、前記電気泳動表示パネルに表示された前記Ｋ番目の映像を維持する段階と、を含む請求項１記載の電気泳動表示装置の映像表示方法。
【請求項１５】
前記第１ホワイト区間に、前記インタラプト信号が発生する場合、前記Ｋ＋１番目の映像を表示する段階は、
前記第１ホワイト区間の間、前記インタラプト信号発生の後、残余の第１ホワイト区間の間、前記電気泳動表パネルに前記第２極性電圧を出力し、前記ホワイト映像を表示する段階と、
第２ブラック区間の間、前記電気泳動表示パネルに前記第１極性電圧を出力し、前記ブラック映像を表示する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項１４記載の電気泳動表示装置の映像表示方法。
【請求項１６】
前記第１ブラック区間に、前記インタラプト信号が発生する場合、前記Ｋ＋１番目の映像を表示する段階は、
前記第１ブラック区間の間、前記インタラプト信号発生の後、残余の第１ブラック区間の間、前記電気泳動表示パネルに前記第１極性電圧を出力し、前記ブラック映像を表示する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに、前記共通電圧を出力し、前記電気泳動表示パネルに表示された前記Ｋ＋１番目の映像を維持する段階と、を含む請求項１４記載の電気泳動表示装置の映像表示方法。
【請求項１７】
前記第１インバース区間に前記インタラプト信号が発生する場合、前記Ｋ＋１番目の映像を表示する段階は、
前記インタラプト信号発生の後、第２ホワイト区間の間、前記電気泳動表示パネルに前記第２極性電圧を出力し、ホワイト映像を表示する段階と、
第２ブラック区間の間、前記電気泳動表示パネルに前記第１極性電圧を出力し、ブラック映像を表示する段階と、
インバース補償区間の間、前記第２極性電圧を前記電気泳動表示パネルに出力し、前記インタラプト信号発生の前、前記粒子に充電された電荷を補償する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項１４記載の電気泳動表示装置の映像表示方法。
【請求項１８】
前記インタラプト信号発生前の前記第１インバース区間と前記インバース補償区間は同一であることを特徴とする請求項１７記載の電気泳動表示装置の映像表示方法。
【請求項１９】
前記第１インバース区間に前記インタラプト信号が発生する場合、前記Ｋ＋１番目の映像を表示する段階は、
前記インタラプト信号発生の後、第２ホワイト区間の間、前記電気泳動表示パネルに前記第２極性電圧を出力し、前記ホワイト映像を表示する段階と、
インバース補償区間の間、前記第２極性電圧を前記電気泳動表示パネルに出力し、前記インタラプト信号発生の前、前記粒子に充電された電荷を補償する段階と、
第２ブラック区間の間、前記第１極性電圧を前記電気泳動表示パネルに出力し、前記ブラック映像を表示する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項１４記載の電気泳動表示装置の映像表示方法。
【請求項２０】
前記第１表示区間に前記インタラプト信号が発生する場合、前記Ｋ＋１番目の映像を表示する段階は、
前記インタラプト信号発生の後、第２ホワイト区間の間、前記電気泳動表示パネルに前記第２極性電圧を出力し、前記ホワイト映像を表示する段階と、
第２ブラック区間の間、前記電気泳動表示パネルに前記第１極性電圧を出力し、ブラック映像を表示する段階と、
表示補償区間の間、前記第２極性電圧を前記電気泳動表示パネルに出力し、前記インタラプト信号発生の前、前記粒子に充電された電荷を補償する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項１４記載の電気泳動表示装置の映像表示方法。
【請求項２１】
前記インタラプト信号発生前の前記第１表示区間と前記表示補償区間の合計は、前記第１表示区間と同一であることを特徴とする請求項２０記載の電気泳動表示装置の映像表示方法。
【請求項２２】
前記第１表示区間に前記インタラプト信号が発生する場合、前記Ｋ＋１番目の映像を表示する段階は、
前記インタラプト信号発生の直後、第２ホワイト区間の間、前記電気泳動表示パネルに前記第２極性電圧を出力し、ホワイト映像を表示する段階と、
表示補償区間の間、前記第２極性電圧を前記電気泳動表示パネルに出力し、前記インタラプト信号発生の前、前記粒子に充電された電荷を補償する段階と、
第２ブラック区間の間、前記電気泳動表示パネルに前記第１極性電圧を出力し、前記ブラック映像を表示する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１映像を維持する段階と、を含む請求項１４記載の電気泳動表示装置の映像表示方法。
【請求項２３】
前記インタラプト信号発生の前の前記第１表示区間と前記表示補償区間の合計は、前記第１表示区間と同一であることを特徴とする請求項２２記載の電気泳動表示装置の映像表示方法。
【請求項２４】
前記第１維持区間に前記インタラプト信号が発生する場合、前記Ｋ＋１番目の映像を表示する段階は、
前記インタラプト信号発生の後、第２ホワイト区間の間、前記電気泳動表示パネルに前記第２極性電圧を出力し、前記ホワイト映像を表示する段階と、
第２ブラック区間の間、前記電気泳動表示パネルに前記第１極性電圧を出力し、前記ブラック映像を表示する段階と、
第２インバース区間の間、前記電気泳動表示パネルに、前記Ｋ＋１番目の映像の反転データに対応する前記第１極性電圧を出力する段階と、
第２表示区間の間、前記電気泳動表示パネルに、前記Ｋ＋１番目の映像データに対応する前記第２極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項１４記載の電気泳動表示装置の映像表示方法。
【請求項２５】
電気泳動粒子を含む電気泳動表示パネルと、
Ｋ番目の映像が前記電気泳動表示パネルに表示されるよう、前記電気泳動表示パネルを駆動し、
外部から映像転換のためのインタラプト信号が提供されることにより、前記インタラプト信号発生の前、前記電気泳動表示パネルに表示された前記Ｋ番目のフレームの映像に対応し充電された前記電気泳動の粒子の電荷を補償し、
Ｋ＋１番目のフレームの映像が前記電気泳動表示パネルに表示されるよう、前記電気泳動表示パネルを駆動する駆動部と、を含む電気泳動表示装置。
【発明の詳細な説明】
【技術分野】
【０００１】
本発明は、映像表示方法に関し、さらに詳しくは、表示品質を向上させるための映像表示方法及びこれを遂行するための電気泳動表示装置に関する。  
【背景技術】
【０００２】
一般的に、電気泳動表示装置は帯電した粒子を含有し、前記帯電した粒子を電界によって位置を移動させる方式でデータを表示する装置である。
前記電気泳動表示装置は、両電極の間にボール（ｂａｌｌ）型のマイクロカプセルが設けられた構造を有する。前記マイクロカプセルは、負電荷を帯電したホワイト粒子と正電荷を帯電したブラック粒子を含む。前記ホワイト及びブラック粒子は電界が形成されると動き、電界が遮断されると停止する双安定（ｂｉ−ｓｔａｂｌｅ）の特性を有する。よって、前記電気泳動表示装置は電源がなくても、前のフレームで表示されたイメージを表示することができるため、消費電力が少なく有用性にも優れる。
【０００３】
前記双安定の特性を有する前記粒子にＤＣ電荷が残ることによって生じる寿命低下の問題及び残像問題を防ぐため、現在のフレームのデータを表示する前に、前のフレームで表示されたデータによって移動した粒子を補償する方案が採用されている。即ち、前記電気泳動表示装置に一つの映像を表示するために駆動区間、表示区間及び維持区間を含む。
前記電気泳動表示装置は前記駆動区間の間、使用者によって次の映像への変換命令（以下、「インタラプト信号」とする）が入力される場合、現在のフレームにより表示された映像に対し、前記粒子に充電された電荷を補償せず、次の映像を表示するための駆動が始まる。よって、前のフレームの映像に対する電荷補償が正常に行われないため、残像及びディスプレイの劣化などのような問題点が発生する。
【発明の開示】
【発明が解決しようとする課題】
【０００４】
本発明の技術的な課題は、このような従来の問題点を解決するためのものであり、本発明の目的は、映像転換の際、前のフレームの映像に対する電荷補償を容易にするための電気泳動表示装置の映像表示方法を提供することにある。
本発明の更なる目的は、前記映像表示方法を遂行する電気泳動表示装置の提供にある。
【課題を解決するための手段】
【０００５】
本発明１による電気泳動表装置の映像表示方法において、複数の駆動区間に分けられ、電気泳動粒子を含む電気泳動表示パネルにＫ番目の映像を表示する。映像転換のためのインタラプト信号が前記駆動区間の内、ある一つの区間で発生すると前記インタラプト信号発生の前、前記電気泳動表示パネルに出力された前記Ｋ番目の映像に対応し充電された前記粒子の電荷を補償し、Ｋ＋１番目の映像を表示する。
【０００６】
このような映像表示方法及びこれを遂行するための電気泳動表示装置によると、Ｋ番目の映像を表示する途中で、インタラプト信号が発生する場合、表示された前記Ｋ番目の映像によって粒子に充電された電荷を補償した後、Ｋ＋１番目の映像を表示することにより表示品質を向上させることができる。
発明２は、発明１において、前記Ｋ番目の映像を表示する段階は、第１ブラック区間の間、前記電気泳動表示パネルに第１極性電圧を利用してブラック映像を表示する段階と、第１ホワイト区間の間、前記電気泳動表示パネルに第２極性電圧を利用してホワイト映像を表示する段階と、第１インバース区間の間、前記電気泳動表示パネルに前記Ｋ番目の映像の反転データに対応する前記第２極性電圧を出力する段階と、第１表示区間の間、前記電気泳動表示パネルに前記Ｋ番目の映像データに対応する前記第１極性電圧を出力し、前記Ｋ番目の映像を表示する段階と、第１維持区間の間、前記電気泳動表示パネルに共通電圧を出力し、前記電気泳動表示パネルに表示された前記Ｋ番目の映像を維持する段階と、を含む。
【０００７】
発明３は、発明２において、前記第１ブラック区間に前記インタラプト信号が発生する場合、前記Ｋ＋１番目の映像を表示する段階は、前記第１ブラック区間の間、前記インタラプト信号が発生した後に残った第１ブラック区間の間、前記電気泳動表示パネルに前記第１極性電圧を出力し、前記ブラック映像を表示する段階と、第２ホワイト区間の間、前記電気泳動表示パネルに前記第２極性電圧を出力し、前記ホワイト映像を表示する段階と、第２インバース区間の間、前記電気泳動表示パネルに、前記Ｋ＋１番目の映像の反転データに対応する前記第２極性電圧を出力する段階と、第２表示区間の間、前記電気泳動表示パネルに、前記Ｋ＋１番目の映像データに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【０００８】
発明４は、発明２において、前記第１ホワイト区間に前記インタラプト信号が発生する場合、前記Ｋ＋１番目の映像を表示する段階は、前記第１ホワイト区間の間、前記インタラプト信号が発生した後に残った第１ホワイト区間の間、前記電気泳動表示パネルに前記第２極性電圧を出力し、前記ホワイト映像を表示する段階と、第２インバース区間の間、前記電気泳動表示パネルに、前記Ｋ＋１番目の映像の反転データに対応する前記第２極性電圧を出力する段階と、第２表示区間の間、前記電気泳動表示パネルに、前記Ｋ＋１番目の映像データに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【０００９】
発明５は、発明２において、前記第１インバース区間に前記インタラプト信号が発生する場合、前記Ｋ＋１番目の映像を表示する段階は、前記インタラプト信号発生の後の第２ブラック区間の間、前記電気泳動表示パネルに前記第１極性電圧を出力し、ブラック映像を表示する段階と、第２ホワイト区間の間、前記電気泳動表示パネルに前記第２極性電圧を出力し、ホワイト映像を表示する段階と、インバース補償区間の間、前記第１極性電圧を前記電気泳動表示パネルに出力し、前記インタラプト信号発生の前、前記粒子に充電された電荷を補償する段階と、第２インバース区間の間、前記電気泳動表示パネルに前記Ｋ＋１番目の映像の反転データに対応する前記第２極性電圧を出力する段階と、第２表示区間の間、前記電気泳動表示パネルに前記Ｋ＋１番目の映像データに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１０】
発明６は、発明５において、前記インタラプト信号発生の前の前記第１インバース区間と前記インバース補償区間は、同一であることを特徴とする。
発明７は、発明２において、前記第１インバース区間に前記インタラプト信号が発生する場合、前記Ｋ＋１番目の映像を表示する段階は、前記インタラプト信号が発生した後の第２ブラック区間の間、前記電気泳動表示パネルに前記第１極性電圧を出力し、前記ブラック映像を表示する段階と、インバース補償区間の間、前記第１極性電圧を前記電気泳動表示パネルに出力し、前記インタラプト信号発生の前、前記粒子に充電された電荷を補償する段階と、第２ホワイト区間の間、前記第２極性電圧を前記電気泳動表示パネルに出力し、前記ホワイト映像を表示する段階と、第２インバース区間の間、前記電気泳動表示パネルに前記Ｋ＋１番目の映像の反転データに対応する前記第２極性電圧を出力する段階と、第２表示区間の間、前記電気泳動表示パネルに前記Ｋ＋１番目の映像のデータに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１１】
発明８は、発明７において、前記インタラプト信号発生前の前記第１インバース区間と前記インバース補償区間は同一であることを特徴とする。
発明９は、発明２において、前記第１表示区間に前記インタラプト信号が発生する場合、前記Ｋ＋１番目の映像を表示する段階は、前記インタラプト信号発生の後、第２ブラック区間の間、前記電気泳動表示パネルに前記第１極性電圧を出力し、前記ブラック映像を表示する段階と、第２ホワイト区間の間、前記電気泳動表示パネルに前記第２極性電圧を出力し、ホワイト映像を表示する段階と、表示補償区間の間、前記第１極性電圧を前記電気泳動表示パネルに出力し、前記インタラプト信号発生の前、前記粒子に充電された電荷を補償する段階と、第２インバース区間の間、前記電気泳動表示パネルに、前記Ｋ＋１番目の映像の反転データに対応する前記第２極性電圧を出力する段階と、第２表示区間の間、前記電気泳動表示パネルに、前記Ｋ＋１番目の映像データに対応する前記第１極性電圧を出力し、前記Ｋ＋１番目の映像を表示する段階と、第２維持区間の間、前記電気泳動表示パネルに、前記共通電圧を出力し、前記電気泳動表示パネルに表示された前記Ｋ＋１番目の映像を維持する段階と、を含む。
【００１２】
発明１０は、発明９において、前記インタラプト信号発生前の前記第１表示区間と前記表示補償区間の合計は、前記第１表示区間と同一であることを特徴とする。
発明１１は、発明２において、前記第１表示区間に前記インタラプト信号が発生する場合、前記Ｋ＋１番目の映像を表示する段階は、前記インタラプト信号発生の直後、第２ブラック区間の間、前記電気泳動表示パネルに前記第１極性電圧を出力し、ブラック映像を表示する段階と、表示補償区間の間、前記第１極性電圧を前記電気泳動表示パネルに出力し、前記インタラプト信号発生の前、前記粒子に充電された電荷を補償する段階と、第２ホワイト区間の間、前記電気泳動表示パネルに前記第２極性電圧を出力し、前記ホワイト映像を表示する段階と、第２インバース区間の間、前記電気泳動表示パネルに、前記Ｋ＋１番目の映像の反転データに対応する前記第２極性電圧を出力する段階と、第２表示区間の間、前記電気泳動表示パネルに、前記Ｋ＋１番目の映像データに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１３】
発明１２は、発明１１において、前記インタラプト信号発生の前の前記第１表示区間と前記表示補償区間の合計は、前記第１表示区間と同一であることを特徴とする。
発明１３は、発明２において、前記第１維持区間に前記インタラプト信号が発生する場合、前記Ｋ＋１番目の映像を表示する段階は、前記インタラプト信号発生の後、第２ブラック区間の間、前記電気泳動表示パネルに前記第１極性電圧を出力し、前記ブラック映像を表示する段階と、第２ホワイト区間の間、前記電気泳動表示パネルに前記第２極性電圧を出力し、前記ホワイト映像を表示する段階と、第２インバース区間の間、前記電気泳動表示パネルに、前記Ｋ＋１番目の映像の反転データに対応する前記第２極性電圧を出力する段階と、第２表示区間の間、前記電気泳動表示パネルに、前記Ｋ＋１番目の映像データに対応する前記第１極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１４】
発明１４は、発明１において、前記Ｋ番目の映像を表示する段階は、第１ホワイト区間の間、前記電気泳動表示パネルに、共通電圧に対比する第１極性電圧と反転された第２極性電圧を出力し、ホワイト映像を表示する段階と、第１ブラック区間の間、前記電気泳動表示パネルに前記第１極性電圧を出力し、ブラック映像を表示する段階と、第１インバース区間の間、前記電気泳動表示パネルに、前記Ｋ番目の映像の反転データに対応する前記第１極性電圧を出力する段階と、第１表示区間の間、前記電気泳動表示パネルに、前記Ｋ番目の映像データに対応する前記第２極性電圧を出力し、前記Ｋ番目の映像を表示する段階と、第１維持区間の間、前記電気泳動表示パネルに前記共通電圧を出力し、前記電気泳動表示パネルに表示された前記Ｋ番目の映像を維持する段階と、を含む。
【００１５】
発明１５は、発明１４において、前記第１ホワイト区間に、前記インタラプト信号が発生する場合、前記Ｋ＋１番目の映像を表示する段階は、前記第１ホワイト区間の間、前記インタラプト信号発生の後、残余の第１ホワイト区間の間、前記電気泳動表パネルに前記第２極性電圧を出力し、前記ホワイト映像を表示する段階と、第２ブラック区間の間、前記電気泳動表示パネルに前記第１極性電圧を出力し、前記ブラック映像を表示する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１６】
発明１６は、発明１４において、前記第１ブラック区間に、前記インタラプト信号が発生する場合、前記Ｋ＋１番目の映像を表示する段階は、前記第１ブラック区間の間、前記インタラプト信号発生の後、残余の第１ブラック区間の間、前記電気泳動表示パネルに前記第１極性電圧を出力し、前記ブラック映像を表示する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに、前記共通電圧を出力し、前記電気泳動表示パネルに表示された前記Ｋ＋１番目の映像を維持する段階と、を含む。
【００１７】
発明１７は、発明１４において、前記第１インバース区間に前記インタラプト信号が発生する場合、前記Ｋ＋１番目の映像を表示する段階は、前記インタラプト信号発生の後、第２ホワイト区間の間、前記電気泳動表示パネルに前記第２極性電圧を出力し、ホワイト映像を表示する段階と、第２ブラック区間の間、前記電気泳動表示パネルに前記第１極性電圧を出力し、ブラック映像を表示する段階と、インバース補償区間の間、前記第２極性電圧を前記電気泳動表示パネルに出力し、前記インタラプト信号発生の前、前記粒子に充電された電荷を補償する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１８】
発明１８は、発明１７において、前記インタラプト信号発生前の前記第１インバース区間と前記インバース補償区間は同一であることを特徴とする。
発明１９は、発明１４において、前記第１インバース区間に前記インタラプト信号が発生する場合、前記Ｋ＋１番目の映像を表示する段階は、前記インタラプト信号発生の後、第２ホワイト区間の間、前記電気泳動表示パネルに前記第２極性電圧を出力し、前記ホワイト映像を表示する段階と、インバース補償区間の間、前記第２極性電圧を前記電気泳動表示パネルに出力し、前記インタラプト信号発生の前、前記粒子に充電された電荷を補償する段階と、第２ブラック区間の間、前記第１極性電圧を前記電気泳動表示パネルに出力し、前記ブラック映像を表示する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００１９】
発明２０は、発明１４において、前記第１表示区間に前記インタラプト信号が発生する場合、前記Ｋ＋１番目の映像を表示する段階は、前記インタラプト信号発生の後、第２ホワイト区間の間、前記電気泳動表示パネルに前記第２極性電圧を出力し、前記ホワイト映像を表示する段階と、第２ブラック区間の間、前記電気泳動表示パネルに前記第１極性電圧を出力し、ブラック映像を表示する段階と、表示補償区間の間、前記第２極性電圧を前記電気泳動表示パネルに出力し、前記インタラプト信号発生の前、前記粒子に充電された電荷を補償する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００２０】
発明２１は、発明２０において、前記インタラプト信号発生前の前記第１表示区間と前記表示補償区間の合計は、前記第１表示区間と同一であることを特徴とする。
発明２２は、発明１４において、前記第１表示区間に前記インタラプト信号が発生する場合、前記Ｋ＋１番目の映像を表示する段階は、前記インタラプト信号発生の直後、第２ホワイト区間の間、前記電気泳動表示パネルに前記第２極性電圧を出力し、ホワイト映像を表示する段階と、表示補償区間の間、前記第２極性電圧を前記電気泳動表示パネルに出力し、前記インタラプト信号発生の前、前記粒子に充電された電荷を補償する段階と、第２ブラック区間の間、前記電気泳動表示パネルに前記第１極性電圧を出力し、前記ブラック映像を表示する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１映像を維持する段階と、を含む。
【００２１】
発明２３は、発明２２において、前記インタラプト信号発生の前の前記第１表示区間と前記表示補償区間の合計は、前記第１表示区間と同一であることを特徴とする。
発明２４は、発明１４において、前記第１維持区間に前記インタラプト信号が発生する場合、前記Ｋ＋１番目の映像を表示する段階は、前記インタラプト信号発生の後、第２ホワイト区間の間、前記電気泳動表示パネルに前記第２極性電圧を出力し、前記ホワイト映像を表示する段階と、第２ブラック区間の間、前記電気泳動表示パネルに前記第１極性電圧を出力し、前記ブラック映像を表示する段階と、第２インバース区間の間、前記電気泳動表示パネルに、前記Ｋ＋１番目の映像の反転データに対応する前記第１極性電圧を出力する段階と、第２表示区間の間、前記電気泳動表示パネルに、前記Ｋ＋１番目の映像データに対応する前記第２極性電圧を出力し、前記Ｋ＋１番目の映像を表示する段階と、第２維持区間の間、前記電気泳動表示パネルに前記共通電圧を出力し、前記電気泳動表示パネルに表示された前記Ｋ＋１番目の映像を維持する段階と、を含む。
【００２２】
発明２５は、電気泳動粒子を含む電気泳動表示パネルと、Ｋ番目の映像が前記電気泳動表示パネルに表示されるよう、前記電気泳動表示パネルを駆動し、外部から映像転換のためのインタラプト信号が提供されることにより、前記インタラプト信号発生の前、前記電気泳動表示パネルに表示された前記Ｋ番目のフレームの映像に対応し充電された前記電気泳動の粒子の電荷を補償し、Ｋ＋１番目のフレームの映像が前記電気泳動表示パネルに表示されるよう、前記電気泳動表示パネルを駆動する駆動部と、を含む電気泳動表示装置。
【発明の効果】
【００２３】
本発明によれば、映像転換の際、前のフレームの映像に対する電荷補償を容易にするための電気泳動表示装置の映像表示方法を提供することができる。
【発明を実施するための最良の形態】
【００２４】
以下、添付図面を参照し、本発明をより詳しく説明する。
図１は、本発明の実施例による電気泳動表示装置のブロック図である。図２は、図１の電気泳動表示パネルの断面図である。
図１及び図２を参照すれば、電気泳動表示装置は電気泳動表示パネル１００及び前記電気泳動表示パネル１００を駆動する駆動部２００を含む。
【００２５】
前記電気泳動表示パネル１００は、複数の画素部Ｐを含む。各画素部Ｐは、ゲートラインＧＬとソースラインＤＬにつながったスイッチング素子ＴＲ、前記スイッチング素子ＴＲにつながった電気泳動コンデンサＥＰＣ及びストレージコンデンサＣＳＴを含む。具体的に前記電気泳動表示パネル１００は図２に図示されたように、アレイ基板１１０及び電気泳動フィルム１３０を含む。
【００２６】
前記アレイ基板１１０は第１ベース基板１０１を含む。前記第１ベース基板１０１の上には、第１方向へ延長された複数のゲートライン（ＧＬ１，…，ＧＬｎ）、前記第１方向と交差する第２方向へ延長された複数のソースライン（ＤＬ１，…，ＤＬｍ）、前記複数のゲートライン（ＧＬ１，…，ＧＬｎ）と複数のソースライン（ＤＬ１，…，ＤＬｍ）に電気的に接続された複数のスイッチング素子ＴＲ、前記複数のスイッチング素子ＴＲと電気的に接続された複数の画素電極ＰＥ及び複数のストレージコンデンサＣＳＴが形成される。
【００２７】
図１の画素部Ｐでは、前記スイッチング素子ＴＲは、ゲートラインＧＬ１と接続されたゲート電極ＧＥ、前記ゲート電極ＧＥの上に形成されたゲート絶縁層１０３、前記ゲート電極ＧＥと重なるように前記ゲート絶縁層１０３の上に形成されたチャンネル部ＣＨ、前記チャンネル部ＣＨの上に相互離隔し形成されたソース電極ＳＥ及びドレイン電極ＤＥを含む。前記ソース電極ＳＥはソースラインＤＬ１につながる。前記スイッチング素子ＴＲの上には保護層１０４及び有機層１０６が形成、前記有機層１０６の上には前記保護層１０４及び有機層１０６に形成されたコンタクトホールＨを通じて、前記ドレイン電極ＤＥと電気的につながった画素電極ＰＥが形成される。
【００２８】
前記ストレージコンデンサＣＳＴはストレージ共通ラインに電気的に接続された第１ストレージ電極ＳＴＥ１、前記第１ストレージ電極ＳＴＥ１の上に形成された前記ゲート絶縁層１０３及び前記画素電極ＰＥと電気的につながり、前記第１ストレージ電極ＳＴＥ１と重なるように前記ゲート絶縁層１０３の上に形成された第２ストレージ電極ＳＴＥ２を含む。
【００２９】
前記電気泳動フィルム１３０は第２ベース基板１３１、共通電極ＣＥ及び電気泳動層１２０を含む。前記第２ベース基板１３１は柔軟性を有する材質で形成されることもある。望ましく、前記第２ベース基板１３１は、光透過率、耐熱性、耐化学性、機械的強度などが優れたプラスチック材質ＰＥＴをもって形成される。
前記共通電極ＣＥは透明な導電性の物質で形成され、前記画素電極ＰＥと対向する電極として共通電圧（ＶＣＯＭ）が印加される。前記透明な導電性物質、例えば、酸化インジウムスズ（Ｉｎｄｉｕｍ  Ｔｉｎ  Ｏｘｉｄｅ，ＩＴＯ）、酸化亜鉛インジウム（Ｉｎｄｉｕｍ  Ｚｉｎｃ  Ｏｘｉｄｅ，ＩＺＯ）、アモルファス酸化インジウムスズ（ａｍｏｒｐｈｏｕｓ  Ｉｎｄｉｕｍ  Ｔｉｎ  Ｏｘｉｄｅ，ａ−ＩＴＯ）などで形成されることができる。
【００３０】
前記電気泳動層１２０は複数のマイクロカプセルを含む。各マイクロカプセル１２１は正電荷及び負電荷を帯電した複数の粒子を含む。例えば、前記マイクロカプセル２３０は負電荷を帯電したホワイト粒子１２１Ｗ及び正電荷を帯電したブラック粒子１２１Ｂを含む。前記電気泳動層１２０の駆動方式は次のようである。
前記画素電極ＰＥに前記共通電圧（ＶＣＯＭ）に対して第１極性電圧である正電圧（＋Ｖ）が印加されると、前記負電荷を帯電した前記ホワイト粒子１２１Ｗが前記画素電極ＰＥ側へ移動し、前記正電荷を帯電した前記ブラック粒子１２１Ｂは前記共通電極ＣＥ側へ移動する。これにより、前記電気泳動表示パネル１００にはブラック映像が表示される。逆に、前記画素電極ＰＥに前記共通電圧（ＶＣＯＭ）に対して第２極性電圧である負電荷が印加されると、前記正電荷を帯電した前記ブラック粒子１２１Ｂが、前記画素電極ＰＥ側へ移動し、前記負電荷を帯電した前記ホワイト粒子１２１Ｗは前記共通電極ＣＥ側へ移動する。これにより、前記電気泳動表示パネル１００にはホワイト映像が表示される。前記画素電極ＰＥに前記共通電圧（ＶＣＯＭ）が印加されると、複数の前記ホワイト及びブラック粒子１２１Ｗ、１２１Ｂは動きを止め、現在の位置を維持する。即ち、前記電気泳動表示パネル１００には表示された映像が維持される。
【００３１】
前記駆動部２００はタイミング制御部２１０、メモリ２３０、駆動電圧発生部２５０、ゲート駆動部２７０及びソース駆動部２９０を含む。
前記タイミング制御部２１０は外部から受信された水平同期信号及び垂直同期信号を含む外部制御信号に基づき、前記駆動部２００を全般的に制御する。
前記メモリ２３０は外部から受信されたデータを一つの画面の映像単位毎に記憶する。
【００３２】
前記駆動電圧発生部２５０は駆動電圧を発生する。前記駆動電圧は前記ゲート駆動部２７０に提供されるゲート電圧、前記ソース駆動部２９０に提供されるソース電圧及び前記電気泳動表示パネル１００に提供される共通電圧（ＶＣＯＭ）を含む。前記ゲート電圧はゲート信号を生成するためのゲートオン電圧及びオフ電圧を含む。前記ソース電圧は正電圧（＋Ｖ）、共通電圧（ＶＣＯＭ）及び負電圧（−Ｖ）を含むか、若しくは、前記正・負電圧（＋Ｖ、−Ｖ）を生成するための電源電圧ＶＤＤであることもある。
【００３３】
前記ゲート駆動部２７０は前記タイミング制御部２１０の制御によって前記ゲート電圧を利用し、ゲート信号を生成する。前記ゲート駆動部２７０は前記ゲート信号を前記ゲートライン（ＧＬ１，…，ＧＬｎ）に順次に出力する。
前記ソース駆動部２９０は前記タイミング制御部２１０の制御によって前記正電圧（＋Ｖ）、共通電圧（ＶＣＯＭ）及び負電圧（−Ｖ）を前記ソースライン（ＤＬ１，…，ＤＬｍ）に出力する。
【００３４】
図３及び図４は図１の電気泳動表示装置の駆動タイミング図である。
図３はホワイト地にブラック映像を表示する場合の駆動タイミング図である。
図１及び図３を参照すれば、前記電気泳動表示パネル１００にＫ番目の映像を表示するための駆動区間は、ブラック区間ＢＩ、ホワイト区間ＷＩ、インバース（inverse）区間ＩＩ、表示区間ＤＩ及び維持区間ＨＩを含む。
【００３５】
前記ブラック区間ＢＩは前記電気泳動表示パネル１００の画素電極ＰＥに正電圧（＋Ｖ）が出力され、ブラック映像が表示される区間で、前記ホワイト区間ＷＩは前記電気泳動表示パネル１００の画素電極ＰＥに負電圧（−Ｖ）が出力され、ホワイト映像が表示される区間である。前記インバース区間ＩＩはＫ番目の映像データに対して反転されたデータが印加される区間で、前記表示区間ＤＩは前記Ｋ番目の映像が表示される区間である。前記インバース区間ＩＩは負電圧（−Ｖ）を出力する区間で、前記表示区間ＤＩは正電圧（＋Ｖ）を出力する区間である。前記維持区間ＨＩは前記表示区間ＤＩの間、前記電気泳動表示パネル１００に表示された前記Ｋ番目の映像が維持される区間である。
【００３６】
前記ブラック区間ＢＩ及び前記ホワイト区間ＷＩは同一の第１時間（ｔ１）を有し、前記インバース区間ＩＩと前記表示区間ＤＩは同一の第２時間（ｔ２）を有する。前記第１時間（ｔ１）は前記第２時間（ｔ２）より概して大きい。なぜなら、前記ブラック区間ＢＩ及び前記ホワイト区間ＷＩは以前の映像、即ち、Ｋ−１番目の映像を初期化する区間で、ブラック階調及びホワイト階調が表示される最大時間を有する。例えば、前記Ｋ番目の映像のデータ信号にブラック階調が存在すると前記第１及び第２時間（ｔ１、ｔ２）は同一になる。Ｋ番目の表示区間ＤＩにおいてブラック階調であるデータ信号が第２時間（ｔ２）の間表示される場合、Ｋ番目のブラック区間ＢＩ及びホワイト区間ＷＩの第１時間（ｔ１）は、第２時間（ｔ２）と同一に設定される。あるいは、Ｋ番目の表示区間ＤＩにおいてホワイト階調であるデータ信号が第２時間（ｔ２）の間表示される場合、Ｋ番目のブラック区間ＢＩ及びホワイト区間ＷＩの第１時間（ｔ１）は、第２時間（ｔ２）と同一に設定される。
【００３７】
前記ブラック区間ＢＩ及び前記ホワイト区間ＷＩは以前表示された前記Ｋ−１番目の映像を初期化するための駆動区間であり、前記インバース区間ＩＩは現在表示されるＫ番目の映像に対する粒子の電荷を補償するための駆動区間である。
図４はブラック地にホワイト映像を表示する場合の駆動タイミング図である。
図１及び図４を参照すれば、前記電気泳動表示パネル１００にＫ番目の映像を表示するための駆動区間はホワイト区間ＷＩ、ブラック区間ＢＩ、インバース区間ＩＩ、表示区間ＤＩ及び維持区間ＨＩを含む。
【００３８】
前記ホワイト区間ＷＩは前記電気泳動表示パネル１００の画素電極ＰＥに負電圧（−Ｖ）が出力され、ホワイト映像が表示される区間で、前記ブラック区間ＢＩは前記電気泳動表示パネル１００の画素電極ＰＥに正電圧（＋Ｖ）が出力され、ブラック映像が表示される区間である。
前記インバース区間ＩＩはＫ番目の映像データと反転されたデータが印加される区間で、前記正電圧（＋Ｖ）が前記電気泳動表示パネル１００の画素電極ＰＥに出力される区間である。前記表示区間ＤＩは前記Ｋ番目の映像が表示される区間で、前記負電圧（−Ｖ）が前記電気泳動表示パネル１００の画素電極ＰＥに出力される区間である。前記維持区間ＨＩは、前記表示区間ＤＩの間、前記電気泳動表示パネル１００に表示された前記Ｋ番目の映像が維持される区間である。
【００３９】
この場合、図３に図示された駆動方式に比べ、前記ホワイト区間ＷＩとブラック区間ＢＩの順番が切り替わり、インバース区間ＩＩ及び表示区間ＤＩに印加される映像の電圧が負電圧（−Ｖ）から正電圧（＋Ｖ）にそれぞれ切り替わる場合である。即ち、前記電気泳動表示パネル１００を初期化するために、Ｋ−１番目の映像が表示される前記電気泳動表示パネル１００に、先ずホワイト映像を表示し、引き続きブラック映像を表示する。
【００４０】
図５乃至図１１は図１及び図３に図示された電気泳動表示装置の映像表示方法を説明するための概念図である。
図１、図３及び図５を参照すれば、前記タイミング制御部２１０は前記メモリ２３０に貯蔵されたＫ番目の映像（又は、ページ）のデータを読み込む。前記メモリ２３０から読み込んだＫ番目の映像（又は、ページ）のデータが図５に図示されたような場合を例として説明する。
【００４１】
第１画素部Ｐ１のデータは「４」（０Ｇｒａｙ）、第２画素部Ｐ２のデータは「３」（１Ｇｒａｙ）、第３画素部Ｐ３のデータは「２」（２Ｇｒａｙ）及び第４画素部Ｐ４のデータは「０」（４Ｇｒａｙ）である。ここで、前記０Ｇｒａｙはブラック映像が表示される階調で、前記４Ｇｒａｙはホワイト映像が表示される階調であると仮定する。
前記タイミング制御部２１０は前記メモリ２３０から読み込んだ前記Ｋ番目の映像データに対応し、前記ソース駆動部２９０を制御する。
【００４２】
図１、図３及び図６を参照すれば、前記タイミング制御部２１０は前記ブラック区間ＢＩの間、正電圧（＋Ｖ）を出力するように前記ソース駆動部２９０を制御する。
前記ブラック区間ＢＩの長さは、電気泳動粒子の電圧による応答速度によって設定される。ここでは４フレームと仮定する。
前記ブラック区間ＢＩの第１フレーム１Ｆから第４フレーム４Ｆの間、前記ソース駆動部２９０は前記第１、第２、第３及び第４画素部Ｐ１、Ｐ２、Ｐ３、Ｐ４に正電圧（＋Ｖ）を繰り返し出力する。
【００４３】
よって、電気泳動粒子は負電荷を帯電したホワイト粒子が画素電極ＰＥ側へ移動、逆に正電荷を帯電したブラック粒子が共通電極ＣＥ側へ移動し、ブラック映像を表示する。即ち、前記第１フレームＦ１に前記第１、第２、第３及び第４画素部Ｐ１、Ｐ２、Ｐ３，Ｐ４に正電圧（＋Ｖ）を出力すると、前記ホワイト粒子は前記画素電極ＰＥ側へ１段階分移動、前記ブラック粒子は前記共通電極ＣＥ側へ１段階移動し、結果的に前記第１、第２、第３及び第４画素部Ｐ１、Ｐ２、Ｐ３，Ｐ４は１階調の映像を表示する。同様の方式で、第２フレーム乃至第４フレームの間、前記第１、第２、第３及び第４画素部Ｐ１、Ｐ２、Ｐ３，Ｐ４に前記正電圧（＋Ｖ）を繰り返し出力すると、前記第１、第２、第３及び第４画素部Ｐ１、Ｐ２、Ｐ３，Ｐ４は４階調の映像を表示する。
【００４４】
図１、図３及び図７を参照すれば、前記タイミング制御部２１０は前記ホワイト区間ＷＩの間、負電圧（−Ｖ）を出力するように、前記ソース駆動部２９０を制御する。前記ホワイト区間ＷＩの長さは前記ブラック区間ＢＩと同一の時間であり、ここでは前記４フレームを例とする。
前記ホワイト区間ＷＩの第１フレーム１Ｆから第４フレームの間、前記ソース駆動部２９０は前記第１、第２、第３及び第４画素部Ｐ１、Ｐ２、Ｐ３，Ｐ４に前記負電圧（−Ｖ）を出力する。よって、電気泳動粒子は、正電荷を帯電したブラック粒子が画素電極ＰＥ側へ移動、逆に負電荷を帯電したホワイト粒子が共通電極ＣＥ側へ移動し、 前記第１、第２、第３及び第４画素部Ｐ１、Ｐ２、Ｐ３、Ｐ４にホワイト映像を表示する。
【００４５】
即ち、前記第１フレーム１Ｆにおいて前記第１、第２、第３及び第４画素部Ｐ１、Ｐ２、Ｐ３、Ｐ４に負電圧（−Ｖ）を出力すると、前記ホワイト粒子は１段階の前記共通電極ＣＥ側へ移動、前記ブラック粒子は前記画素電極ＰＥ側へ１段階移動する。結果的に、前記第１、第２、第３及び第４画素部Ｐ１、Ｐ２、Ｐ３、Ｐ４には前記ブラック区間ＢＩの間に表示された４階調の映像から、−１階調変換された３階調の映像が表示される。同様の方式をもって、第２フレーム乃至第４フレームの間、前記第１、第２、第３及び第４画素部Ｐ１、Ｐ２、Ｐ３、Ｐ４に前記負電圧（−Ｖ）を繰り返し出力すると、前記第１、第２、第３及び第４画素部Ｐ１、Ｐ２、Ｐ３、Ｐ４に０階調の映像が表示される。
【００４６】
図１、図３、図８及び図９を参照すれば、前記タイミング制御部２１０は前記インバース区間ＩＩの間、前記Ｋ番目の映像の反転データ信号に対応する負電圧（−Ｖ）を出力するように前記のソース駆動部２９０を制御する。
図８を参照すれば、前記Ｋ番目の映像のデータと反転された反転データは、前記第１画素部Ｐ１は「−４」、前記第２画素部Ｐ２は「−３」、前記第３画素部Ｐ３は「−２」、前記第４画素部Ｐ４は「０」である。
【００４７】
具体的に、前記ソース駆動部２９０は前記インバース区間ＩＩの第１フレーム１Ｆの間、前記第１、第２及び第３画素部Ｐ１、Ｐ２、Ｐ３に負電圧（−Ｖ）を出力、前記第４画素部Ｐ４に共通電圧（ＶＣＯＭ）を出力する。
前記駆動部２９０は第２フレーム２Ｆの間、前記第１、第２及び第３画素部Ｐ１、Ｐ２、Ｐ３に前記負電圧（−Ｖ）を出力、前記第４画素部Ｐ４に前記共通電圧（ＶＣＯＭ）を出力する。
【００４８】
前記ソース駆動部２９０は第３フレーム３Ｆの間、前記第１及び第２画素部Ｐ１、Ｐ２に前記負電圧（−Ｖ）を出力、前記第３及び第４画素部Ｐ３、Ｐ４に前記共通電圧（ＶＣＯＭ）を出力する。
前記ソース駆動部２９０は第４フレーム４Ｆの間、前記第１画素部Ｐ１に前記負電圧を出力、前記第２、第３及び第４画素部Ｐ２、Ｐ３、Ｐ４に前記共通電圧を出力する。
【００４９】
結果的に、前記インバース区間ＩＩの間、前記第１画素部Ｐ１は前記負電圧（−Ｖ）が４フレームの間に印加される。又、前記第２画素部Ｐ２は前記負電圧（−Ｖ）が３フレームの間に印加、前記第３画素部Ｐ３は前記負電圧（−Ｖ）が２フレームの間に印加、前記第４画素部Ｐ４は共通電圧（ＶＣＯＭ）が印加される。
よって、前記インバース区間ＩＩには、前記ホワイト区間ＷＩを通じて表示されたホワイト映像状態で、前記負電圧（−Ｖ）を電気泳動表示パネルに再び印加する。即ち、前記ホワイト区間ＷＩを通じて前記電気泳動表示パネルの負電荷に帯電したホワイト粒子は既に共通電極ＣＥ側へ全てが移動したホワイト状態である。ここで、再び前記負電圧（−Ｖ）を画素電極ＰＥに印加させることによって、前記粒子が前記共通電極ＣＥ側へ追加的に移動されず、電荷補償効果のみを得ることができる。
【００５０】
図１、図３、図５及び図１０を参照すれば、前記タイミング制御部２１０は前記表示区間Ｄ１の間、前記Ｋ番目の映像データに対応する正電圧（＋）を出力するように前記ソース駆動部２９０を制御する。
前記Ｋ番目の映像データは前記第１画素部Ｐ１は「４」、前記第２画素部Ｐ２は「３」、前記第３画素部Ｐ３は「２」、前記第４画素部Ｐ４は「０」である。
【００５１】
具体的に、前記ソース駆動部２９０は前記表示区間ＤＩの第１フレーム１Ｆの間、前記第１、第２及び第３画素部Ｐ１、Ｐ２、Ｐ３に正電圧（＋Ｖ）を出力、前記第４画素部Ｐ４に共通電圧（ＶＣＯＭ）を出力する。
前記ソース駆動部２９０は第２フレーム２Ｆの間、前記第１、第２及び第３画素部Ｐ１、Ｐ２、Ｐ３に前記正電圧（＋Ｖ）を出力、前記第４画素部Ｐ４に前記共通電圧（ＶＣＯＭ）を出力する。
【００５２】
前記ソース駆動部２９０は第３フレーム３Ｆの間、前記第１及び第２画素部Ｐ１、Ｐ２に前記正電圧（＋Ｖ）を出力、前記第３及び第４画素部Ｐ３、Ｐ４に前記共通電圧（ＶＣＯＭ）を出力する。
前記ソース駆動部２９０は、第４フレームＦ４の間、前記第１画素部Ｐ１に前記正電圧（＋Ｖ）を出力、前記第２、第３及び第４画素部Ｐ２、Ｐ３、Ｐ４に前記共通電圧（ＶＣＯＭ）を出力する。
【００５３】
結果的に、前記表示区間ＩＩの間、前記第１画素部Ｐ１は前記正電圧（＋Ｖ）が４フレームの間に印加、前記第２画素部Ｐ２は前記正電圧（＋Ｖ）が３フレームの間に印加、前記第３画素部Ｐ３は前記正電圧（＋Ｖ）が２フレームの間に印加、前記第４画素部Ｐ４は共通電圧（ＶＣＯＭ）が印加される。よって、前記第１、第２、第３及び第４画素部Ｐ１、Ｐ２、Ｐ３、Ｐ４は前記Ｋ番目の画面の映像が表示される。前記表示区間ＤＩが完了すると、Ｋ番目の駆動区間の電荷補償が完了する。
【００５４】
図１、図３及び図１１を参照すれば、前記タイミング制御部２１０は前記維持区間ＨＩの間、前記第１、第２、第３及び第４画素部Ｐ１、Ｐ２、Ｐ３、Ｐ４に表示されたデータを維持するように前記ソース駆動部２９０を制御する。前記ソース駆動部２９０は前記維持区間ＨＩの間、前記第１、第２、第３及び第４画素部Ｐ１、Ｐ２、Ｐ３、Ｐ４に前記共通電圧（ＶＣＯＭ）を出力する。ここでは、前記維持区間ＨＩの長さが４フレームであることを例とする。
【００５５】
前記電気泳動粒子は両端の電極、即ち、前記共通電極ＣＥと画素電極ＰＥに等電位が形成される場合、以前動いた状態を維持する特性を持つ。そのため、前記維持区間ＨＩの間、前記第１、第２、第３及び第４画素部Ｐ１、Ｐ２、Ｐ３、Ｐ４に前記共通電圧（ＶＣＯＭ）を印加する。よって、前記表示区間ＤＩの間、前記第１、第２、第３及び第４画素部Ｐ１、Ｐ２、Ｐ３、Ｐ４に表示された映像を維持することになる。前記維持区間の長さは装置によって設定を多様にすることができる。
【００５６】
前記維持区間ＨＩが完了し、Ｋ＋１番目の映像を表現するためにＫ＋１番目の駆動区間が始まる。Ｋ＋１番目の駆動区間は、ブラック区間ＢＩ、ホワイト区間ＷＩ、インバース区間ＩＩ、表示区間ＤＩ及び維持区間ＨＩを含み、Ｋ番目の駆動区間と同様の方式で駆動する。
以上では、図３に図示されたように、ホワイト地にブラック映像を表示する場合を説明した。しかし、ブラック地にホワイト映像を表示することもできる。例えば、図１、図４、及び図７を参照すれば、前記ソース駆動部２３０は前記ホワイト区間ＷＩの間、負電圧（−Ｖ）を前記第１、第２、第３及び第４画素部Ｐ１、Ｐ２、Ｐ３、Ｐ４に出力し、ホワイト映像を表示する。
【００５７】
ホワイト区間の後、図１、図４及び図６を参照すれば、前記ソース駆動部２３０は前記ブラック区間ＢＩの間、正電圧（＋Ｖ）を出力するように前記第１、第２、第３及び第４画素部Ｐ１、Ｐ２、Ｐ３、Ｐ４に出力し、ブラック映像を表示する。
図１、図４、図８及び図９を参照すれば、前記ソース駆動部２３０は前記インバース区間ＩＩの間、前記Ｋ番目の映像の反転データ信号に対応する正電圧（＋Ｖ）を出力する。ここで、ホワイト地にブラック映像を表示する場合は、Ｋ番目の映像の反転データ信号は図８及び図９の信号と符号とは反対の信号である。
【００５８】
具体的に、前記第１画素部Ｐ１は前記正電圧（＋Ｖ）が第１フレーム１Ｆから第４フレーム４Ｆの間に印加、前記第２画素部Ｐ２は前記正電圧（＋Ｖ）が第１フレーム１Ｆから第３フレーム３Ｆの間に印加、前記第３画素部Ｐ３は前記正電圧（＋Ｖ）が第１フレーム１Ｆから第２フレーム２Ｆの間に印加、前記第４画素部Ｐ４は共通電圧（ＶＣＯＭ）が印加される。
【００５９】
図１、図４、図５及び図１０を参照すれば、前記ソース駆動部２３０は前記表示区間ＤＩの間に前記Ｋ番目の映像のデータ信号に対応する負電圧（−）を出力する。ここで、ホワイト地にブラック映像を表示する場合のＫ番目の映像のデータ信号は、図５及び図１０の信号と符号とは反対の信号である。
具体的に、前記第１画素部Ｐ１は前記負電圧（−Ｖ）が第１フレーム１Ｆから第４フレーム４Ｆの間に印加、前記第２画素部Ｐ２は前記負電圧（−Ｖ）が第１フレーム１Ｆから第３フレーム３Ｆの間に印加、前記第３画素部Ｐ３は前記負電圧（−Ｖ）が第１フレーム１Ｆから第２フレーム２Ｆの間に印加、前記第４画素部Ｐ４は共通電圧（ＶＣＯＭ）が印加される。よって、前記第１、第２、第３及び第４画素部Ｐ１、Ｐ２、Ｐ３、Ｐ４は前記Ｋ番目の映像が表示される。
【００６０】
図１、図４及び図１１を参照すれば、前記ソース駆動部２３０は前記維持区間ＨＩの間、前記共通電圧（ＶＣＯＭ）を前記第１、第２、第３及び第４画素部Ｐ１、Ｐ２、Ｐ３、Ｐ４に出力し、前記Ｋ番目の映像を維持する。
以下においては、使用者からの映像転換に対するインタラプト信号がＫ番目の映像データを駆動する駆動区間、即ち、第１ブラック区間、第１ホワイト区間、第１インバース区間、第１表示区間及び第１維持区間、それぞれより発生した場合、Ｋ＋１番目の映像データを駆動する方式を詳しく説明する。
【００６１】
図１２及び図１３は本発明の第１実施例によるブラック区間及びホワイト区間にインタラプト信号が発生した場合の駆動タイミング図である。図１２は図３に図示された駆動方式によってブラック区間にインタラプト信号が発生した場合の駆動タイミング図である。
図１、図３及び図１２を参照すれば、Ｋ番目の映像データを駆動する区間（以下、「Ｋ番目の駆動区間」とする）の内、第１ブラック区間ＢＩ１に使用者インタラプト信号ＩＮＴが発生する場合である。Ｋ番目の駆動区間のうち、第１ブラック区間ＢＩ１にインタラプト信号が発生し、インタラプト信号の後にＫ＋１番目の駆動区間が開始する。
【００６２】
前記駆動部２００は、前記第１ブラック区間ＢＩ１の内、前記インタラプト信号ＩＮＴが発生した区間を判断し、前記インタラプト信号ＩＮＴ発生の直後、前記第１ブラック区間ＢＩ１の残余ブラック区間ＢＩ１’の間、前記電気泳動表示パネル１００に正電圧（＋Ｖ）を出力し、ブラック映像を表示する。
前記第１ブラック区間ＢＩ１は予め設定された既設定の区間であり、前記駆動部２００は、前記インタラプト信号ＩＮＴ発生の後の前記残余ブラック区間ＢＩ１’の長さを判断することができる。例えば、残余ブラック区間ＢＩ１’の長さは、第１ブラック区間ＢＩ１の長さから、第１ブラック区間ＢＩ１の最初からインタラプト信号ＩＮＴが発生した時間までの長さを差し引いて求めることができる。
【００６３】
前記駆動部２００は、前記Ｋ番目の駆動区間のうち、第１ブラック区間ＢＩ１の一部、つまり第１ブラック区間ＢＩ１の最初からインタラプト信号が発生するまでの期間と、前記残余ブラック区間ＢＩ１’と、の間、前記電気泳動表パネル１００の画素電極ＰＥに前記正電圧（＋Ｖ）を出力し続け前記ブラック映像を表示する。ここで、Ｋ番目の駆動区間のうち第１ブラック区間ＢＩ１の最初からインタラプト信号ＩＮＴが発生した時までの区間と、Ｋ＋１番目の駆動区間のうち残余ブラック区間ＢＩ１’と、によりブラック区間が構成される。
【００６４】
引き続き、前記駆動部２００は、第２ホワイト区間ＷＩ２の間、前記電気泳動表示パネル１００の画素電極ＰＥに負電圧（−Ｖ）を出力し、ホワイト映像を表示する。  
第２インバース区間ＩＩ２の間、前記電気泳動表示パネル１００にＫ＋１番目の映像の反転データに対応する前記負電圧（−Ｖ）を出力する。次に、第２表示区間ＤＩ２の間、前記電気泳動表示パネル１００の画素電極ＰＥにＫ＋１番目の映像データに対応し、前記正電圧（＋Ｖ）を出力する。
【００６５】
以後、第２維持区間ＨＩ２の間、前記電気泳動表示パネル１００の画素電極ＰＥに共通電圧（ＶＣＯＭ）を出力し、前記電気泳動表示パネル１００に表示された前記Ｋ＋１番目の映像を維持させる。前記第２表示区間ＤＩ２が完了すると、Ｋ＋１番目の駆動区間の間の電荷補償が完了する。
図１３は図４に図示された駆動方式によってホワイト区間にインタラプト信号が発生する場合のタイミング図である。Ｋ番目の駆動区間のうち、第１ホワイト区間ＷＩ１にインタラプト信号が発生し、インタラプト信号の後にＫ＋１番目の駆動区間が開始する。
【００６６】
図１、図４及び図１３を参照すれば、前記駆動部２００は前記第１ホワイト区間ＷＩ１の内、前記インタラプト信号ＩＮＴが発生した区間を判断し、前記インタラプト信号ＩＮＴ発生の直後、前記第１ホワイト区間ＷＩ１の残余ホワイト区間ＷＩ１’の間、前記電気泳動表示パネル１００の画素電極ＰＥに負電圧（−Ｖ）を出力し、ホワイト映像を表示する。ここで、Ｋ番目の駆動区間のうち第１ホワイト区間ＷＩ１の最初からインタラプト信号ＩＮＴが発生した時までの区間と、Ｋ＋１番目の駆動区間のうち残余ホワイト区間ＷＩ１’と、によりホワイト区間が構成される。引き続き、前記駆動部２００は第２ブラック区間ＢＩ２の間、前記電気泳動表示パネル１００の画素電極ＰＥに正電圧（＋Ｖ）を出力し、ブラック映像を表示する。
【００６７】
前記駆動部２００は第２インバース区間ＩＩ２の間、前記電気泳動表示パネル１００の画素電極ＰＥにＫ＋１番目の映像の反転データに対応して前記正電圧（＋Ｖ）を出力する。また、第２表示区間ＤＩ２の間、前記電気泳動表示パネル１００の画素電極ＰＥにＫ＋１番目の映像データに対応して前記負電圧（−Ｖ）を出力する。以後、第２維持区間の間に前記電気泳動表示パネル１００の画素電極ＰＥに共通電圧（ＶＣＯＭ）を出力して前記電気泳動表示パネル１００に表示された前記Ｋ＋１番目の映像を維持させる。前記第２表示区間ＤＩ２が完了すると、Ｋ＋１番目の駆動区間の間の電荷補償が完了する。
【００６８】
図１４及び図１５は本発明の第２実施例によるホワイト区間及びブラック区間にインタラプト信号が発生する場合の駆動タイミング図である。図１４は図３に図示された駆動方式によってホワイト区間にインタラプト信号が発生する場合のタイミング図である。
図１、図３及び図１４を参照すれば、Ｋ番目の映像データを駆動する区間の内、第１ホワイト区間ＷＩ１に使用者のインタラプト信号ＩＮＴが発生する場合である。Ｋ番目の駆動区間のうち、第１ホワイト区間ＷＩ１にインタラプト信号が発生し、インタラプト信号の後にＫ＋１番目の駆動区間が開始する。
【００６９】
前記駆動部２００は前記第１ホワイト区間ＷＩ１の内、前記インタラプト信号ＩＮＴが発生した区間を判断し、前記インタラプト信号ＩＮＴ発生の直後、前記第１ホワイト区間ＷＩ１の残余ホワイト区間ＷＩ１’の間、前記電気泳動表示パネル１００の画素電極ＰＥに前記負電圧（−Ｖ）を出力し、ホワイト映像を表示する。ここで、Ｋ番目の駆動区間のうち第１ホワイト区間ＷＩ１の最初からインタラプト信号ＩＮＴが発生した時までの区間と、Ｋ＋１番目の駆動区間のうち残余ホワイト区間ＷＩ１’と、によりホワイト区間が構成される。
【００７０】
前記第１ホワイト区間ＷＩ１は既設定された区間であり、前記駆動部２００は前記インタラプト信号ＩＮＴ発生の後、前記残余ホワイト区間ＷＩ１’の長さを判断することができる。前記駆動部２００は前記Ｋ番目の駆動区間のホワイト区間ＷＩ１の一部、つまり第１ホワイト区間ＷＩ１の最初からインタラプト信号が発生するまでの区間と、前記残余ホワイト区間ＷＩ１’との間に、前記電気泳動表示パネル１００の画素電極ＰＥに前記負電圧（−Ｖ）を出力し、ホワイト映像を表示する。
【００７１】
前記駆動部２００は第２インバース区間ＩＩ２の間、前記電気泳動表示パネル１００にＫ＋１番目の映像の反転データに対応する前記負電圧（−Ｖ）を出力、第２表示区間ＤＩ２の間、前記電気泳動表示パネル１００の画素電極ＰＥにＫ＋１番目の映像データに対応する前記正電圧（＋Ｖ）を出力し、前記Ｋ＋１番目の映像を表示する。引き続き、前記駆動部２００は第２維持区間ＨＩ２の間には前記電気泳動表示パネル１００の画素電極ＰＥに前記共通電圧（ＶＣＯＭ）を出力し、前記電気泳動表示パネル１００に表示された前記Ｋ＋１番目の映像を維持させる。
【００７２】
図１５は図４に図示された駆動方式によってブラック区間にインタラプト信号が発生した場合の駆動タイミング図である。Ｋ番目の駆動区間のうち、第１ブラック区間ＢＩ１にインタラプト信号が発生し、インタラプト信号の後にＫ＋１番目の駆動区間が開始する。
図１、図４及び図１５を参照すれば、前記駆動部２００は前記第１ブラック区間ＢＩ１の内、前記インタラプト信号ＩＮＴが発生した区間を判断し、前記インタラプト信号ＩＮＴ発生の直後、前記第１ブラック区間ＢＩ１の残余ブラック区間ＢＩ１’の間、前記電気泳動表示パネル１００の画素電極ＰＥに正電圧（＋Ｖ）を出力し、ブラック映像を表示する。ここで、Ｋ番目の駆動区間のうち第１ブラック区間ＢＩ１の最初からインタラプト信号ＩＮＴが発生した時までの区間と、Ｋ＋１番目の駆動区間のうち残余ブラック区間ＢＩ１’と、によりブラック区間が構成される。
【００７３】
前記駆動部２００は第２インバース区間ＩＩ２の間、前記電気泳動表示パネル１００の画素電極ＰＥにＫ＋１番目の映像の反転データに対応する前記正電圧（＋Ｖ）を出力し、第２表示区間ＤＩ２の間、前記電気泳動表示パネル１００の画素電極ＰＥにＫ＋１番目の映像データに対応する前記負電圧（−Ｖ）を出力し、前記Ｋ＋１番目の映像を表示する。引き続き、前記駆動部２００は第２維持区間ＨＩ２の間には前記電気泳動表示パネル１００に前記共通電圧（ＶＣＯＭ）を出力し、前記電気泳動表示パネル１００に表示された前記Ｋ＋１番目の映像を維持させる。
【００７４】
図１６、図１７、図１８及び図１９は本発明の第３実施例によるインバース区間にインタラプト信号が発生する場合の駆動タイミング図である。
図１６及び図１７は図３に図示された駆動方式によるインバース区間においてインタラプト信号が発生する場合の駆動タイミング図である。
図１、図３及び図１６を参照すれば、Ｋ番目の映像データを駆動する区間の内、第１インバース区間ＩＩ１に使用者のインタラプト信号ＩＮＴが発生する場合である。Ｋ番目の駆動区間のうち、第１インバース区間ＩＩ１にインタラプト信号が発生し、インタラプト信号の後にＫ＋１番目の駆動区間が開始する。
【００７５】
前記駆動部２００は前記インタラプト信号ＩＮＴが発生した前記第１インバース区間ＩＩ１を判断する。前記駆動部２００は前記インタラプト信号ＩＮＴ発生の前、前記第１インバース区間ＩＩ１の間に前記電気泳動表示パネル１００の粒子に充電された電荷を補償し、Ｋ＋１番目の映像を表示する。
具体的に、Ｋ番目の駆動区間において、第１ブラック区間ＢＩ１及び第１ホワイト区間ＷＩ１の順にそれぞれ正電圧（＋Ｖ）及び負電圧（−Ｖ）を画素電極ＰＥに印加し、第１インバース区間ＩＩ１においてインタラプト信号ＩＮＴが発生するまでの間において、負電圧（−Ｖ）を画素電極ＰＥに印加する。
【００７６】
前記駆動部２００は、前記インタラプト信号ＩＮＴ発生の直後から第２ブラック区間ＢＩ２の間、前記電気泳動表示パネル１００の画素電極ＰＥに前記正電圧（＋Ｖ）を出力し、第２ホワイト区間ＷＩ２の間、前記負電圧（−Ｖ）を出力し、ホワイト映像を表示する。
ここで、前記駆動部２００は、Ｋ番目の駆動区間において、前記インタラプト信号ＩＮＴ発生前の前記第１インバース区間ＩＩ１の間、前記電気泳動表示パネル１００の画素電極ＰＥに負電圧（−Ｖ）を出力した。そこで、この負電圧（−Ｖ）によって充電された粒子の電荷を補償するために、Ｋ＋１番目の駆動区間のうち、第２ホワイト区間ＷＩ２に引き続くインバース補償区間ＩＩ１’の間、前記負電圧（−Ｖ）とは反対の正電圧（＋Ｖ）を出力する。望ましくは、前記インタラプト信号ＩＮＴが発生する直前の前記第１インバース区間ＩＩ１の長さと前記インバース補償区間ＩＩ１’の長さとは同一である。
【００７７】
前記インバース補償区間ＩＩ１’以後、前記駆動部２００は第２インバース区間ＩＩ２の間、Ｋ＋１番目の映像の反転データに対応する前記負電圧（−Ｖ）を出力し、第２表示区間ＤＩ２の間にＫ＋１番目の映像データに対応する前記正電圧（＋Ｖ）を出力し、前記Ｋ＋１番目の映像を表示する。
引き続き、前記駆動部２００は第２維持区間ＨＩ２の間、前記電気泳動表示パネル１００の画素電極ＰＥに前記共通電圧（ＶＣＯＭ）を出力し、前記電気泳動表示パネル１００に表示されたＫ＋１番目の映像を維持させる。
【００７８】
図１、図３及び図１７を参照すれば、Ｋ番目の駆動区間のうち、第１インバース区間ＩＩ１にインタラプト信号が発生し、インタラプト信号の後にＫ＋１番目の駆動区間が開始する。
具体的に、Ｋ番目の駆動区間において、第１ブラック区間ＢＩ１及び第１ホワイト区間ＷＩ１の順にそれぞれ正電圧（＋Ｖ）及び負電圧（−Ｖ）を画素電極ＰＥに印加し、第１インバース区間ＩＩ１においてインタラプト信号ＩＮＴが発生するまでの間、負電圧（−Ｖ）を画素電極ＰＥに印加する。
【００７９】
前記駆動部２００は前記インタラプト信号ＩＮＴ発生の直後、第２ブラック区間ＢＩ２の間、前記電気泳動表示パネル１００の画素電極ＰＥに前記正電圧（＋Ｖ）を出力し、ブラック映像を表示する。
ここで、前記駆動部２００は、Ｋ番目の駆動区間において、前記インタラプト信号ＩＮＴ発生の前、前記第１インバース区間ＩＩ１の間、前記電気泳動表示パネル１００の画素電極ＰＥに負電圧（−Ｖ）を出力した。そこで、この負電圧（−Ｖ）によって充電された粒子の電荷を補償するために、Ｋ＋１番目の駆動区間のうち第２ブラック区間ＢＩ２に引き続くインバース補償区間ＩＩ１’の間、前記充電された負電圧（−Ｖ）とは反対の正電圧（＋Ｖ）を出力する。望ましくは、前記インタラプト信号ＩＮＴが発生する直前の前記第１インバース区間ＩＩ１の長さと前記インバース補償区間ＩＩ１’の長さとは同一である。
【００８０】
引き続き、前記駆動部２００は第２ホワイト区間ＷＩ２の間、前記負電圧（−Ｖ）を出力してホワイト映像を表示し、第２インバース区間ＩＩ２の間、Ｋ＋１番目の映像の反転データに対応する前記負電圧（−Ｖ）を出力する。前記駆動部２００は第２表示区間ＤＩ２の間、Ｋ＋１番目の映像データに対応する前記正電圧（＋Ｖ）を出力して前記Ｋ＋１番目の映像を表示する。次に、第２維持区間ＨＩ２の間、前記電気泳動表示パネル１００に前記共通電圧（ＶＣＯＭ）を出力し、前記電気泳動表示パネル１００に表示されたＫ＋１番目の映像を維持させる。
【００８１】
図１８及び図１９は図４に図示された駆動方式によって、インバース区間にインタラプト信号が発生する場合の駆動タイミング図である。
図１、図４及び図１８を参照すれば、Ｋ番目の駆動区間のうち、第１インバース区間ＩＩ１にインタラプト信号が発生し、インタラプト信号の後にＫ＋１番目の駆動区間が開始する。
【００８２】
具体的に、Ｋ番目の駆動区間において、第１ホワイト区間ＷＩ１及び第１ブラック区間ＢＩ１の順にそれぞれ負電圧（−Ｖ）及び正電圧（＋Ｖ）を画素電極ＰＥに印加し、第１インバース区間ＩＩ１においてインタラプト信号ＩＮＴが発生するまでのの間、正電圧（＋Ｖ）を画素電極ＰＥに印加する。
前記駆動部２００は前記インタラプト信号ＩＮＴ発生の直後から第２ホワイト区間ＷＩ２の間に前記電気泳動表パネル１００に前記負電圧（−Ｖ）を出力しホワイト映像を表示し、第２ブラック区間ＢＩ２の間に前記正電圧（＋Ｖ）を出力しブラック映像を表示する。
【００８３】
ここで、前記駆動部２００は、Ｋ番目の駆動区間において、前記インタラプト信号ＩＮＴ発生前の前記第１インバース区間ＩＩ１の間、前記電気泳動表示パネル１００の画素電極ＰＥに正電圧（＋Ｖ）を出力した。そこで、この正電圧（＋Ｖ）によって充電された粒子の電荷を補償するために、Ｋ＋１番目の駆動区間のうち、第２ブラック区間ＢＩ２に引き続くインバース補償区間ＩＩ１’の間に充電された正電圧（＋Ｖ）とは反対の前記負電圧（−Ｖ）を出力する。望ましくは、前記インタラプト信号ＩＮＴが発生する直前の前記第１インバース区間ＩＩ１と前記インバース補償区間ＩＩ１’の長さは同一である。
【００８４】
前記インバース補償区間ＩＩ１’以後、前記駆動部２００は第２インバース区間ＩＩ２の間にＫ＋１番目の映像の反転データに対応する前記正電圧（＋Ｖ）を出力する。また、第２表示区間ＤＩ２の間にＫ＋１番目のデータに対応する前記負電圧（−Ｖ）を出力し前記Ｋ＋１番目の映像を表示する。引き続き、前記駆動部２００は第２維持区間ＨＩ２の間に前記電気泳動表示パネル１００の画素電極ＰＥに前記共通電圧（ＶＣＯＭ）を出力し、前記電気泳動表示パネル１００に表示されたＫ＋１番目の映像を維持させる。
【００８５】
図１、図４及び図１９を参照すれば、Ｋ番目の駆動区間のうち、第１インバース区間ＩＩ１にインタラプト信号が発生し、インタラプト信号の後にＫ＋１番目の駆動区間が開始する。
具体的に、Ｋ番目の駆動区間において、第１ホワイト区間ＷＩ１及び第１ブラック区間ＢＩ１の順にそれぞれ負電圧（−Ｖ）及び正電圧（＋Ｖ）を画素電極ＰＥに印加し、第１インバース区間ＩＩ１においてインタラプト信号ＩＮＴが発生するまでの間、正電圧（＋Ｖ）を画素電極ＰＥに印加する。
【００８６】
前記駆動部２００は、前記インタラプト信号ＩＮＴ発生の直後、第２ホワイト区間ＷＩ２の間に前記電気泳動表パネル１００の画素電極ＰＥに前記負電圧（−Ｖ）を出力しホワイト映像を表示する。
ここで、前記駆動部２００は、Ｋ番目の駆動区間において、前記インタラプト信号ＩＮＴが発生する前の前記第１インバース区間ＩＩ１の間に前記電気泳動表示パネル１００の画素電極ＰＥに正電圧（＋Ｖ）を出力した。そこで、正電圧（＋Ｖ）によって充電された粒子の電荷を補償するために、Ｋ＋１番目の駆動区間のうち第２ホワイト区間ＷＩ２に引き続くインバース補償区間ＩＩ１’の間に、前記充電された正電圧（＋Ｖ）とは反対の前記負電圧（−Ｖ）を出力する。前記インタラプト信号ＩＮＴが発生する直後の前記第１インバース区間ＩＩ１と前記インバース補償区間ＩＩ１’の長さは同一である。
【００８７】
前記駆動部２００は第２ブラック区間ＢＩ２の間に前記正電圧（＋Ｖ）を出力しブラック映像を表示する。前記駆動部２００は第２インバース区間ＩＩ２の間にＫ＋１番目の映像の反転データに対応する前記正電圧（＋Ｖ）を出力し、第２表示区間ＤＩ２の間にＫ＋１番目の映像データに対応する前記負電圧（−Ｖ）を出力し、前記Ｋ＋１番目の映像を表示する。以後、前記駆動部２００は第２維持区間ＨＩ２の間に前記電気泳動表示パネル１００の画素電極ＰＥに前記共通電圧（ＶＣＯＭ）を出力し前記電気泳動表パネル１００に表示されたＫ＋１番目の映像を維持させる。
【００８８】
以下においては、図９、１０及び図１６を参照し、Ｋ番目の駆動区間の第１インバース区間ＩＩ１の内、第２フレーム２Ｆで前記インタラプト信号ＩＮＴが発生した場合について具体的に説明する、
前記第１インバース区間ＩＩ１に、前記第１、第２、第３及び第４画素部Ｐ１、Ｐ２、Ｐ３、Ｐ４の反転データに対応して、第１フレーム１Ｆの間には前記第１、第２、第３及び第４画素部Ｐ１、Ｐ２、Ｐ３、Ｐ４に−Ｖ、−Ｖ、−Ｖ、ＶＣＯＭがそれぞれ出力され、第２フレーム２Ｆの間には−Ｖ、−Ｖ、−Ｖ、ＶＣＯＭがそれぞれ出力されている。
【００８９】
これに対応し、前記第１インバース区間ＩＩ１の第１及び第２フレームの間に前記第１、第２、第３及び第４画素部Ｐ１、Ｐ２、Ｐ３、Ｐ４の粒子に充電された電荷を補償するために、前記インバース補償区間ＩＩ１’では正電圧（＋Ｖ）が第１及び第２フレームの間に印加される。即ち、前記インバース補償区間ＩＩ１’の第１フレーム１Ｆの間には前記第１、第２、第３及び第４画素部Ｐ１、Ｐ２、Ｐ３、Ｐ４に＋Ｖ、＋Ｖ、＋Ｖ、ＶＣＯＭがそれぞれ出力され、第２フレーム２Ｆの間には＋Ｖ、＋Ｖ、＋Ｖ、ＶＣＯＭがそれぞれ出力され、前記粒子の電荷を補償する。
【００９０】
即ち、前記電気泳動表示パネル１００には、前記インタラプト信号ＩＮＴが発生する直前の前記第１インバース区間ＩＩ１の間に印加された電圧によって粒子に電荷が充電される。この充電された電荷とは反転の電荷を、前記インバース補償区間ＩＩ１’の間に印加させることによって、前記電気泳動表示パネル１００の電気泳動粒子の電荷を補償することができる。
【００９１】
図２０、図２１、図２２及び図２３は本発明の第４実施例による表示区間にインタラプトが発生する場合の駆動タイミング図である。
図２０及び図２１は図３に図示された駆動方式により、表示区間にインタラプト信号が発生する場合の駆動タイミング図である。
図１、図３及び図２０を参照すれば、Ｋ番目の駆動区間のうち、表示区間にインタラプト信号が発生し、インタラプト信号の後にＫ＋１番目の駆動区間が開始する。
【００９２】
具体的に、Ｋ番目の駆動区間において、第１ブラック区間ＢＩ１及び第１ホワイト区間ＷＩ１の順にそれぞれ正電圧（＋Ｖ）及び負電圧（−Ｖ）を画素電極ＰＥに印加し、第１インバース区間ＩＩ１の間に負電圧（−Ｖ）を画素電極ＰＥに印加する。また、Ｋ番目の映像データを駆動する区間の内、第１表示区間ＤＩ１に使用者のインタラプト信号ＩＮＴが発生する。
【００９３】
前記駆動部２００は、前記インタラプト信号ＩＮＴが発生した前記第１表示区間ＤＩ１を判断する。例えば、前記第１表示区間ＤＩ１は、前記インタラプト信号ＩＮＴが発生する前の第１区間ＤＩ１１と、前記インタラプト信号ＩＮＴが発生した後の第２区間ＤＩ１２と、に分けられる。
前記駆動部２００は、前記インタラプト信号ＩＮＴ発生の前の前記第１区間ＤＩ１１の間において前記電気泳動表パネル１００に充電された粒子の電荷を補償し、Ｋ＋１番目の映像を表示する。前記電荷補償方式は次のようである。
【００９４】
前記第１表示区間ＤＩ１の前において、前記第１インバース区間ＩＩ１を通じて前記Ｋ番目の映像データに対応する前記負電圧（−Ｖ）が前記粒子に既に充電されている。つまり、前記粒子は、前記第１表示区間ＤＩ１の間に充電されるＫ番目の映像データに対応する正電圧（＋Ｖ）に該当する電荷が、前記第１インバース区間ＩＩ１を通じて既に補償された状態である。
【００９５】
よって、前記駆動部２００は、前記第２区間ＤＩ１２の間に前記粒子に本来充電されるべきであった正電圧（＋Ｖ）を、前記インタラプトＩＮＴ発生の後に充電し終える必要がある。つまり、第２区間ＤＩ１２と同一の長さの表示補償区間ＤＩ１’の間、前記粒子に前記正電圧（＋Ｖ）を充電させる。
具体的に、前記駆動部２００は前記インタラプト信号ＩＮＴ発生直後から、第２ブラック区間ＢＩ２の間において、前記電気泳動表示パネル１００に前記正電圧（＋Ｖ）を出力しブラック映像を表示する。次に、第２ホワイト区間ＷＩ２の間、前記負電圧（−Ｖ）を出力しホワイト映像を表示する。
【００９６】
ここで、前記駆動部２００は、前記インタラプト信号ＩＮＴ発生の後、前記第２区間ＤＩ１２の間、前記電気泳動表示パネル１００の画素電極ＰＥに印加されるべきであった前記正電圧（＋Ｖ）を、前記表示補償区間ＤＩ１’の間、前記電気泳動表示パネル１００の画素電極ＰＥに出力し終える。望ましくは、前記第１表示区間ＤＩ１の長さは、前記インタラプト信号ＩＮＴ発生直前の前記第１区間ＤＩ１１の長さと前記表示補償区間ＤＩ１’＝ＤＩ１２の長さとの合計と同一である。
【００９７】
引き続き、前記駆動部２００は第２インバース区間ＩＩ２の間、Ｋ＋１番目の映像の反転データに対応する前記負電圧（−Ｖ）を出力する。次に、図示しない第２表示区間ＤＩ２の間、Ｋ＋１番目の映像データに対応する前記正電圧（＋Ｖ）を出力し前記Ｋ＋１番目の映像を表示する。引き続き、前記駆動部２００は第２維持区間ＨＩ２の間、前記電気映像表示パネル１００に前記共通電圧（ＶＣＯＭ）を出力し、前記電気泳動表示パネル１００に表示されたＫ＋１番目の映像を維持させる。
【００９８】
図１、図３及び図２１を参照すれば、Ｋ番目の駆動区間のうち、表示区間にインタラプト信号が発生し、インタラプト信号の後にＫ＋１番目の駆動区間が開始する。前記駆動部２００は、前記インタラプト信号ＩＮＴ発生の直後から第２ブラック区間ＢＩ２の間、前記電気泳動表示パネル１００に前記正電圧（＋Ｖ）を出力しブラック映像を表示する。  
前記駆動部２００は前記インタラプト信号ＩＮＴ発生の後、前記第２区間ＤＩ１２の間に出力されるべきであった前記正電圧（＋Ｖ）を、表示補償区間ＤＩ１’の間、前記電気泳動表示パネル１００の画素電極ＰＥに出力し終える。望ましく、前記第１表示区間ＤＩ１の長さは、前記インタラプト信号ＩＮＴ発生の直前の前記第１区間ＤＩ１１の長さと前記表示補償区間ＤＩ１’＝ＤＩ１２の長さと、の合計と同一である。
【００９９】
前記のように、前記第２ブラック区間ＢＩ２に連続して前記表示補償区間ＤＩ１’を具現する場合、前記表示補償区間ＤＩ１’の間に出力される正電圧（＋Ｖ）によって表示されるグレーが使用者に視認されないため、前記図２０に図示された駆動方法に比べ、使用者の目障りにならないという長所を有する。つまり、図２１の第１区間ＤＩ１１、第２ブラック区間ＢＩ２及び表示補償区間ＤＩ１’では、同じ正電圧（＋Ｖ）が画素電極ＰＥに印加される。一方、図２０では、第１区間ＤＩ１１及び第２ブラック区間ＢＩ２に正電圧（＋Ｖ）が印加され、次に第２ホワイト区間ＷＩ２に負電圧（−Ｖ）が印加され、表示補償区間ＤＩ１’に再度正電圧（＋Ｖ）が印加される。図２１の場合では同一の電圧が印加される中に表示補償区間ＤＩ１’が含まれるため、図２０のように表示補償区間ＤＩ１’の挿入により正電圧（＋Ｖ）及び負電圧（−Ｖ）が交互に印加される場合よりも、電圧の変化による表示の変化が無く好ましい。
【０１００】
引き続き、前記駆動部２００は第２ホワイト区間ＷＩ２の間に前記負電圧（−Ｖ）を出力しホワイト映像を表示、第２インバース区間ＩＩ２の間にＫ＋１番目の映像の反転データに対応する前記負電圧（−Ｖ）を出力する。
前記駆動部２００は第２表示区間ＤＩ２の間にＫ＋１番目の映像データに対応する前記正電圧（＋Ｖ）を出力しＫ＋１番目の映像を表示し、第２維持区間ＨＩ２の間に前記電気泳動表示パネル１００に前記共通電圧（ＶＣＯＭ）を出力し、前記電気泳動表示パネル１００に表示されたＫ＋１番目の映像を維持させる。
【０１０１】
図２２及び図２３は図４に図示された駆動方式によって表示区間にインタラプト信号が発生する場合の駆動タイミング図である。
図１、図４及び図２２を参照すれば、Ｋ番目の駆動区間のうち、表示区間にインタラプト信号が発生し、インタラプト信号の後にＫ＋１番目の駆動区間が開始する。前記駆動部２００は、前記インタラプト信号ＩＮＴ発生の直後、第２ホワイト区間ＷＩ２の間、前記電気泳動表示パネル１００の画素電極ＰＥに前記負電圧（−Ｖ）を出力しホワイト映像を表示し、第２ブラック区間ＢＩ２の間、前記正電圧（＋Ｖ）を出力しブラック映像を表示する。
【０１０２】
前記駆動部２００は、前記インタラプト信号ＩＮＴ発生の後の前記第２区間ＤＩ１２の間に前記電気泳動表示パネル１００の画素電極ＰＥに本来印加されるべきであった前記負電圧（−Ｖ）を、前記表示補償区間ＤＩ１’の間、前記電気泳動表示パネル１００の画素電極ＰＥに出力し終える。前記第１表示区間ＤＩ１の長さは、前記インタラプト信号ＩＮＴ発生の直前の前記第１区間ＤＩ１１の長さと、前記表示補償区間ＤＩ１’＝ＤＩ１２の長さと、の合計と同一である。
【０１０３】
前記駆動部２００は、第２インバース区間ＩＩ２の間、Ｋ＋１番目の映像の反転データに対応する前記正電圧（＋Ｖ）を出力し、第２表示区間ＤＩ２の間、Ｋ＋１番目の映像データに対応する前記負電圧（−Ｖ）を出力し前記Ｋ＋１番目の映像を表示する。引き続き、前記駆動部２００は第２維持区間ＨＩ２の間、前記電気泳動表示パネル１００に前記共通電圧（ＶＣＯＭ）を出力し、前記電気泳動表示パネル１００に表示されたＫ＋１番目の映像を維持させる。
【０１０４】
図１、図４及び図２３を参照すれば、前記駆動部２００は前記インタラプト信号ＩＮＴ発生の直後から第２ホワイト区間ＷＩ２の間、前記電気泳動表示パネル１００に前記負電圧（−Ｖ）を出力しホワイト映像を表示する。
前記駆動部２００は前記インタラプト信号ＩＮＴ発生の直後の前記第２区間ＤＩ１２の間に本来出力されるべきであった前記負電圧（−Ｖ）を、表示補償区間ＤＩ１’の間、前記電気泳動表示パネル１００に出力し終える。前記第１表示区間ＤＩ１の長さは前記インタラプト信号ＩＮＴ発生直前の前記第１区間ＤＩ１１の長さと前記表示補償区間ＤＩ１’＝ＤＩ１２の長さの合計と同一である。
【０１０５】
前記駆動部２００は第２ブラック区間ＢＩ２の間、前記正電圧（＋Ｖ）を出力しブラック映像を表示し、第２インバース区間ＩＩ２の間、Ｋ＋１番目の映像の反転データに対応する前記正電圧（＋Ｖ）を出力する。
前記駆動部２００は第２表示区間ＤＩ２の間、Ｋ＋１番目の映像データに対応する前記負電圧（−Ｖ）を出力し前記Ｋ＋１番目の映像を表示し、第２維持区間ＨＩ２の間に前記電気泳動表示パネル１００に前記共通電圧（ＶＣＯＭ）を出力し前記電気泳動表示パネル１００に表示されたＫ＋１番目の映像を維持させる。
【０１０６】
図２４及び図２５は本発明の第５実施例によって維持区間にインタラプト信号が発生する場合の駆動タイミング図である。図２４は図３に図示された駆動方式により、維持区間にインタラプト信号が発生する場合の駆動タイミング図である。
図１、図３及び図２４を参照すれば、Ｋ番目の映像データを駆動する区間の間、第１維持区間ＨＩ１に使用者のインタラプト信号ＩＮＴが発生する場合である。
【０１０７】
前記第１維持区間ＨＩ１内に前記インタラプト信号ＩＮＴが発生すると、前記駆動部２００は前記インタラプト信号ＩＮＴ発生の後、Ｋ＋１番目の映像を表示するように前記電気泳動表示パネル１００を駆動させる。
前記駆動部２００は、前記インタラプト信号ＩＮＴ発生の直後から第２ブラック区間ＢＩ２の間、前記電気泳動表示パネル１００の画素電極ＰＥに正電圧（＋Ｖ）を出力しブラック映像を表示し、第２ホワイト区間ＷＩ２の間、前記電気泳動表示パネル１００の画素電極ＰＥに負電圧（−Ｖ）を出力しホワイト映像を表示する。前記駆動部２００は第２インバース区間ＩＩ２の間、前記電気泳動表示パネル１００にＫ＋１番目の映像の反転データに対応して負電圧（−Ｖ）を出力し、第２表示区間ＤＩ２の間、前記電気泳動表示パネル１００の画素電極ＰＥにＫ＋１番目の映像データに対応して正電圧（＋Ｖ）を出力する。前記駆動部２００は第２維持区間ＨＩ２の間、前記電気泳動表示パネル１００の画素電極ＰＥに共通電圧（ＶＣＯＭ）を出力し、前記電気泳動表示パネル１００に表示されたＫ＋１の映像を維持させる。
【０１０８】
図２５は図４に図示された駆動方式によって維持区間にインタラプト信号が発生する場合の駆動タイミング図である。
図１、図４及び図２５を参照すれば、前記駆動部２００は前記インタラプト信号ＩＮＴ発生の直後から第２ホワイト区間ＷＩ２の間、前記電気泳動表示パネルに１００の画素電極ＰＥに負電圧（−Ｖ）を出力しホワイト映像を表示し、第２ブラック区間ＢＩ２の間、前記電気泳動表示パネル１００の画素電極ＰＥに正電圧（＋Ｖ）を出力しブラック映像を表示する。引き続き、前記駆動部２００は第２インバース区間ＩＩ２、第２表示区間ＤＩ２及び第２維持区間ＨＩ２を通じてＫ＋１番目の映像を表示する。
【０１０９】
以上、説明したように、本発明によってＫ番目の映像データを表示するための複数の駆動区間の内、ある一つの区間においてインタラプト信号が発生する場合、前記Ｋ番目の映像データに対応して粒子に充電された電荷を補償した後、Ｋ＋１番目の映像を表示することによって残像及び粒子の劣化を防ぐことができる。つまり、上記電荷の補償により、Ｋ番目の映像データのために印加された電圧に起因する残留電圧を抑制することができ、Ｋ＋１番目の映像を表示する際に、残像及び粒子劣化を抑制できる。
【０１１０】
又、前記インタラプト信号が発生する駆動区間別に電荷の補償を容易にし、次の映像を表示させることによって映像転換の特性を向上させることができる。  
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１１】
【図１】本発明の実施例による電気泳動表示装置のブロック図である。
【図２】図１の電気泳動表示パネルの断面図である。
【図３】図１の電気泳動表示装置の駆動タイミング図である。
【図４】図１の電気泳動表示装置の駆動タイミング図である。
【図５】図１に図示された電気泳動表示装置の映像表示方法を説明するための概念図である。
【図６】図１に図示された電気泳動表示装置の映像表示方法を説明するための概念図である。
【図７】図１に図示された電気泳動表示装置の映像表示方法を説明するための概念図である。
【図８】図１に図示された電気泳動表示装置の映像表示方法を説明するための概念図である。
【図９】図１に図示された電気泳動表示装置の映像表示方法を説明するための概念図である。
【図１０】図１に図示された電気泳動表示装置の映像表示方法を説明するための概念図である。
【図１１】図１に図示された電気泳動表示装置の映像表示方法を説明するための概念図である。
【図１２】本発明の第１実施例によってブラック区間及びホワイト区間にインタラプト信号が発生する場合の駆動タイミング図である。
【図１３】本発明の第１実施例によってブラック区間及びホワイト区間にインタラプト信号が発生する場合の駆動タイミング図である。
【図１４】本発明の第２実施例によってホワイト区間及びブラック区間にインタラプト信号が発生する場合の駆動タイミング図である。
【図１５】本発明の第２実施例によってホワイト区間及びブラック区間にインタラプト信号が発生する場合の駆動タイミング図である。
【図１６】本発明の第３実施例によってインバース区間にインタラプト信号が発生する場合の駆動タイミング図である。
【図１７】本発明の第３実施例によってインバース区間にインタラプト信号が発生する場合の駆動タイミング図である。
【図１８】本発明の第３実施例によってインバース区間にインタラプト信号が発生する場合の駆動タイミング図である。
【図１９】本発明の第３実施例によってインバース区間にインタラプト信号が発生する場合の駆動タイミング図である。
【図２０】本発明の第４実施例によって表示区間にインタラプト信号が発生する場合の駆動タイミング図である。
【図２１】本発明の第４実施例によって表示区間にインタラプト信号が発生する場合の駆動タイミング図である。
【図２２】本発明の第４実施例によって表示区間にインタラプト信号が発生する場合の駆動タイミング図である。
【図２３】本発明の第４実施例によって表示区間にインタラプト信号が発生する場合の駆動タイミング図である。
【図２４】本発明の第５実施例によって維持区間にインタラプト信号が発生する場合の駆動タイミング図である。
【図２５】本発明の第５実施例によって維持区間にインタラプト信号が発生する場合の駆動タイミング図である。
【符号の説明】
【０１１２】
１００    電気泳動表示パネル
２００    駆動部
２１０    タイミング制御部
２３０    メモリ
２５０    駆動電圧発生部
２７０    ゲート駆動部
２９０    ソース駆動部
１２１    マイクロカプセル
１２１Ｗ    ホワイト粒子
１２１Ｂ    ブラック粒子
【図１】
2008268953.tif 000003
【図２】
2008268953.tif 000004
【図３】
2008268953.tif 000005
【図４】
2008268953.tif 000006
【図５】
2008268953.tif 000007
【図６】
2008268953.tif 000008
【図７】
2008268953.tif 000009
【図８】
2008268953.tif 000010
【図９】
2008268953.tif 000011
【図１０】
2008268953.tif 000012
【図１１】
2008268953.tif 000013
【図１２】
2008268953.tif 000014
【図１３】
2008268953.tif 000015
【図１４】
2008268953.tif 000016
【図１５】
2008268953.tif 000017
【図１６】
2008268953.tif 000018
【図１７】
2008268953.tif 000019
【図１８】
2008268953.tif 000020
【図１９】
2008268953.tif 000021
【図２０】
2008268953.tif 000022
【図２１】
2008268953.tif 000023
【図２２】
2008268953.tif 000024
【図２３】
2008268953.tif 000025
【図２４】
2008268953.tif 000026
【図２５】
2008268953.tif 000027